(57)【要約】      （修正有）【課題】簡素な構造で、様々な大きさや種類のパーマネント用ロッドを短時間で効率的に整理することが可能で、目的とするパーマネント用ロッドを簡便かつ確実に取り出すことができ、使用者の負担を大幅に軽減することができる量産性、使用性に優れたパーマネント用ロッド立てを提供する。【解決手段】パーマネント用ロッドの直径よりも幅狭に形設された凹条部２と、凹条部の両側でパーマネント用ロッドを挟持する弾性挟持部３と、を備えている。【選択図】図１
0003155692.tif 000002
【実用新案登録請求の範囲】
【請求項１】
パーマネント用ロッドの直径よりも幅狭に形設された凹条部と、前記凹条部の両側で前記パーマネント用ロッドを挟持する弾性挟持部と、を備えたことを特徴とするパーマネント用ロッド立て。
【請求項２】
前記凹条部の長手方向の任意の位置に前記凹条部よりも幅広若しくは大径に形設された少なくとも１つの挿通用凹部を備えたことを特徴とする請求項１に記載のパーマネント用ロッド立て。
【請求項３】
前記凹条部の長手方向の任意の位置に前記パーマネント用ロッドの直径よりも幅狭若しくは小径で前記凹条部よりも幅広若しくは大径に形設され前記パーマネント用ロッドが挿抜自在に嵌合される嵌合凹部を備えていることを特徴とする請求項１に記載のパーマネント用ロッド立て。
【請求項４】
ケース本体と、前記ケース本体に収容された請求項１乃至３の内いずれか１項に記載のパーマネント用ロッド立てと、を備えたことを特徴とするロッドケース。
【請求項５】
（ａ）１乃至複数の突起状の係止部を有する輪ゴム保持部と、（ｂ）上面又は側面に開口部を有する袋状又は箱状のパーマネント用ペーパ収容部が、前記ケース本体に形設又は着脱自在に配設されていることを特徴とする請求項４に記載のロッドケース。
【請求項６】
前記ケース本体の裏面又は外側に配設され、前記ケース本体の手前側が低く、奥側が高くなるように前記ケース本体を傾斜させて支持する支持脚部を備えていることを特徴とする請求項４又は５に記載のロッドケース。
【考案の詳細な説明】
【技術分野】
【０００１】
本考案は、パーマネント用ロッドを簡便に整理することができ、美容師の作業負担を軽減し、作業の効率化を図ることができるパーマネント用ロッド立て及びそれを用いたロッドケースに関するものである。
【背景技術】
【０００２】
従来、パーマネント用ロッドは、大きさや種類などと無関係に、１つのケースの中に乱雑に収容されることが多く、使用時に目的とするパーマネント用ロッドをケースの中から選別しながら取り出す作業が煩雑で、著しく作業の効率性に欠けるという問題点があった。
この問題点を解決するために、例えば（特許文献１）には、ケース内の収容スペースを必要に応じて収容スペース調節プレートによって仕切ることができる可搬式ロッドケースが開示されている。
【先行技術文献】
【特許文献】
【０００３】
【特許文献１】実開平２−１３４９０３号公報
【考案の開示】
【考案が解決しようとする課題】
【０００４】
しかしながら、上記従来の技術においては、以下のような課題を有していた。
（１）（特許文献１）の可搬式ロッドケースは、仕切られた収容スペースの中に大きさや種類の異なるパーマネント用ロッドを仕分けして収容することができるが、各々のスペースに複数のパーマネント用ロッドが収容されるため、１つのパーマネント用ロッドのみを確実に掴んで引き抜くことが困難で、１つのパーマネント用ロッドを取り出す時に他のパーマネント用ロッドの先端の凹凸部等が引っ掛かって、落下し易いという課題があった。
（２）各々のスペースに多数のパーマネント用ロッドが収容されている間は、パーマネント用ロッド同士が支え合い、倒れ難いが、パーマネント用ロッドの数が減ると、パーマネント用ロッドが倒れ易くなって、取り出し難くなるという課題があった。
（３）パーマネント用ロッドを収容する際も、先に収容した他のパーマネント用ロッドが引っ掛かるなどして邪魔になり易く、整理の作業性に欠けるという課題を有していた。
【０００５】
本考案は上記課題を解決するもので、簡素な構造で、様々な大きさや種類のパーマネント用ロッドを容易に整理することが可能で、目的とするパーマネント用ロッドを簡便かつ確実に取り出すことができる使用性に優れたパーマネント用ロッド立ての提供、及びそれを用いることにより、パーマネント用ロッドの整理や選択、取り出しに要する時間を大幅に短縮して、美容師の作業負担を軽減することができる作業の効率性に優れたロッドケースの提供を目的とする。
【課題を解決するための手段】
【０００６】
上記課題を解決するために本考案のパーマネント用ロッド立て及びそれを用いたロッドケースは、以下の構成を有している。
本考案の請求項１に記載のパーマネント用ロッド立ては、パーマネント用ロッドの直径よりも幅狭に形設された凹条部と、前記凹条部の両側で前記パーマネント用ロッドを挟持する弾性挟持部と、を備えた構成を有している。
この構成により、以下のような作用を有する。
（１）パーマネント用ロッドの直径よりも幅狭に形設された凹条部と、凹条部の両側でパーマネント用ロッドを挟持する弾性挟持部を有するので、凹条部に差し込んだパーマネント用ロッドを弾性挟持部で確実に挟持することができ、パーマネント用ロッドが倒れることがなく、パーマネント用ロッドを容易に整列させて整理することができ、所望のパーマネント用ロッドの先端を掴んで簡便に取り出すことができ、作業性、使用性に優れる。
（２）弾性挟持部によりパーマネント用ロッドを挟持するので、１つのパーマネント用ロッド立てで、太さの異なるパーマネント用ロッドを確実に保持することができ、パーマネント用ロッドの数や種類に関わりなく、多数のパーマネント用ロッドを効率的に整理することができ、汎用性に優れる。
【０００７】
ここで、パーマネント用ロッド立ての少なくとも弾性挟持部が弾性を有していればよい。パーマネント用ロッド立て全体を１つの弾性体でブロック状に形成し、複数の凹条部をスリット状に形成してもよいし、短冊状の弾性挟持部を凹条部を形成するように所定間隔を空けて基板上に立設してパーマネント用ロッド立てとしてもよい。
弾性挟持部としては、ウレタンフォーム、メラミンフォーム、ポリエチレンフォーム、セルローススポンジ、シリコンゴム等を発泡させた発泡ゴム等が好適に用いられる。
凹条部はパーマネント用ロッドを保持できる深さがあればよく、貫通してもしなくてもよい。
尚、弾性挟持部の上面に凹条部の周縁を縁取るように着色した場合、凹条部の幅が狭くても、凹条部の位置を容易に把握することができ、パーマネント用ロッドを確実に凹条部に差し込むことが可能で、使用性に優れる。
【０００８】
請求項２に記載の考案は、請求項１に記載のパーマネント用ロッド立てであって、前記凹条部の長手方向の任意の位置に前記凹条部よりも幅広若しくは大径に形設された少なくとも１つの挿通用凹部を備えた構成を有している。
この構成により、請求項１の作用に加え、以下のような作用を有する。
（１）凹条部の長手方向の任意の位置に凹条部よりも幅広若しくは大径に形設された少なくとも１つの挿通用凹部を有することにより、パーマネント用ロッドを幅狭の凹条部に直接差し込むのではなく、凹条部よりも幅広若しくは大径に形設された挿通用凹部からパーマネント用ロッドを容易に差し込み、スライドさせるようにして凹条部に案内することができ、パーマネント用ロッドの差し込み作業性に優れる。
【０００９】
ここで、挿通用凹部は、凹条部よりも幅広若しくは大径に形設されていればよいが、特に、パーマネント用ロッドの外径よりもやや幅広若しくは大径に形設した場合、パーマネント用ロッドの挿通時に負荷がかからず、容易にパーマネント用ロッドを差し込むことができ、使用性に優れる。
挿通用凹部の平面視の形状は適宜、選択することができ、円形状でも多角形状でもよい。特に、挿通用凹部と凹条部との接続部分が、凹条部に向かって徐々に幅が狭くなるように形成した場合、パーマネント用ロッドを挿通用凹部から凹条部に向かって案内し易く、使用性に優れる。
【００１０】
請求項３に記載の考案は、請求項１に記載のパーマネント用ロッド立てであって、前記凹条部の長手方向の任意の位置に前記パーマネント用ロッドの直径よりも幅狭若しくは小径で前記凹条部よりも幅広若しくは大径に形設され前記パーマネント用ロッドが挿抜自在に嵌合される嵌合凹部を備えている構成を有している。
この構成により、請求項１の作用に加え、以下のような作用を有する。
（１）凹条部の長手方向の任意の位置にパーマネント用ロッドの直径よりも幅狭若しくは小径で凹条部よりも幅広若しくは大径に形設されパーマネント用ロッドが挿抜自在に嵌合される嵌合凹部を有するので、独立した各々の嵌合凹部にパーマネント用ロッドを差し込んで保持することができ、多数のパーマネント用ロッドを整然と整列させて整理することが可能で、太さや種類の異なる多数のパーマネント用ロッドの中から必要なパーマネント用ロッドを簡便かつ確実に選択して、抜き取ることができ、作業の効率性に優れる
（２）パーマネント用ロッドが挿抜自在に嵌合される複数の嵌合凹部が独立して形成されることにより、１つの嵌合凹部にパーマネント用ロッドを挿抜しても、隣接する嵌合凹部に保持されたパーマネント用ロッドが倒れることがなく、パーマネント用ロッドの保持安定性に優れる。
【００１１】
ここで、嵌合凹部の平面視の形状は、挿通されたパーマネント用ロッドを保持できる形状であればよい。特に、円形状の嵌合凹部は、パーマネント用ロッドを挿抜し易く、使用性に優れると共に、成型が容易で量産性に優れる。
【００１２】
本考案の請求項４に記載のロッドケースは、ケース本体と、前記ケース本体に収容された請求項１乃至３の内いずれか１項に記載のパーマネント用ロッド立てと、を備えた構成を有している。
この構成により、以下のような作用を有する。
（１）ケース本体とケース本体に収容されたパーマネント用ロッド立てを有するので、柔軟なパーマネント用ロッド立ての外周をケース本体で保護することができ、多数のパーマネント用ロッドが挿通されたパーマネント用ロッド立てをケース本体と共に容易に持ち運ぶことや保管することができ、搬送性、取扱い性に優れる。
【００１３】
ここで、ケース本体はパーマネント用ロッド立ての外形形状に合わせて形成され、底面部とパーマネント用ロッド立て外周を囲繞する側壁部を有するものが好適に用いられる。
ケース本体の側壁部の高さは、パーマネント用ロッド立ての弾性挟持部の高さと同等以上であることが好ましいが、パーマネント用ロッド立てに保持されたパーマネント用ロッドの上端よりも高くなるように形成した場合、複数のロッドケースを積み重ねて保管することができ、省スペース性に優れる。
【００１４】
請求項５に記載の考案は、請求項４に記載のロッドケースであって、（ａ）１乃至複数の突起状の係止部を有する輪ゴム保持部と、（ｂ）上面又は側面に開口部を有する袋状又は箱状のパーマネント用ペーパ収容部が、前記ケース本体に形設又は着脱自在に配設された構成を有している。
この構成により、請求項４の作用に加え、以下のような作用を有する。
（１）１乃至複数の突起状の係止部を有する輪ゴム保持部と、上面又は側面に開口部を有する袋状又は箱状のパーマネント用ペーパ収容部が、ケース本体に形設又は着脱自在に配設されることにより、パーマネント用ロッドと共に、作業に必要な輪ゴムと、パーマネント用ペーパを常にセットで準備して作業に備えることができ、ロッドケースでまとめて簡便に作業場所に持ち運んで直ちに作業を行うことが可能で、使用性、作業効率性に優れる。
【００１５】
ここで、輪ゴム保持部は、１乃至複数の突起状の係止部に輪ゴムを引っ掛けて保持できるものであればよいが、係止部としては棒状部材を立設したものが好適に用いられる。複数本の棒状部材からなる係止部で輪ゴム保持部を構成した場合、輪ゴムの直径に応じて、引っ掛ける係止部の本数を選択することにより、輪ゴムを確実に保持することができ、輪ゴムの保持安定性、汎用性に優れる。尚、輪ゴム保持部は、ケース本体に直接、形設してもよいし、ケース本体と別体で形成したものを着脱自在に固定してもよい。
パーマネント用ペーパ収容部は、内部に収容されるパーマネント用ペーパを抜き取るための開口部を有する袋状や箱状に形成される。パーマネント用ペーパ収容部をケース本体に対して着脱自在とした場合、パーマネント用ペーパが無くなった時に、パーマネント用ペーパが収容された別のパーマネント用ペーパ収容部と交換するだけで直ちに作業を続けることができ、パーマネント用ペーパの詰め替え作業が不要で、作業の効率性、省力性に優れる。
尚、輪ゴム保持部及びパーマネント用ペーパ収容部は、ケース本体の内部に設置スペースを設けてもよいし、別途、基板上に配設し、フック状の係止部をケース本体の側壁部に係止する等して着脱できるようにしてもよい。
【００１６】
請求項６に記載の考案は、請求項４又は５に記載のロッドケースであって、前記ケース本体の裏面又は外側に配設され、前記ケース本体の手前側が低く、奥側が高くなるように前記ケース本体を傾斜させて支持する支持脚部を備えた構成を有している。
この構成により、請求項４又は５の作用に加え、以下のような作用を有する。
（１）ケース本体の裏面又は外側に配設され、ケース本体の手前側が低く、奥側が高くなるようにケース本体を傾斜させて支持する支持脚部を有することにより、作業時にパーマネント用ロッドの先端面と略正対することができ、パーマネント用ロッドの視認性に優れ、パーマネント用ロッドの選択、挿抜が容易で、作業の効率性に優れる。
【００１７】
ここで、支持脚部は、ケース本体の手前側が低く、奥側が高くなるようにケース本体を傾斜させて支持できるものであればよく、数や配置は適宜、選択することができる。支持脚部を高さ調整自在に形成したり、ケース本体に対して角度調整自在に形成したりした場合、ケース本体の傾斜角度を任意に選択することができ、使用性に優れる。また、支持脚部はケース本体に対して折り畳み自在又は着脱自在に形成してもよい。尚、未使用時に支持脚部の高さや角度を調整するなどしてケース本体を水平にすることにより、ロッドケースの背の高さを低くすることができると共に、複数のロッドケースを重ねて収納することもでき、省スペース性に優れる。
【考案の効果】
【００１８】
以上のように、本考案のパーマネント用ロッド立て及びそれを用いたロッドケースによれば、以下のような有利な効果が得られる。
請求項１に記載の考案によれば、以下のような効果を有する。
（１）凹条部にパーマネント用ロッドを差し込むだけで、太さの異なるパーマネント用ロッドでも両側から弾性挟持部で確実に挟持して保持することができ、パーマネント用ロッドが倒れることがなく、多数のパーマネント用ロッドを容易に整列させて効率的に整理することができ、所望のパーマネント用ロッドの先端を掴んで簡便に取り出すことができる汎用性、作業性、使用性に優れたパーマネント用ロッド立てを提供することができる。
【００１９】
請求項２に記載の考案によれば、請求項１の効果に加え、以下のような効果を有する。
（１）凹条部よりも幅広若しくは大径に形設された挿通用凹部からパーマネント用ロッドを容易に差し込み、スライドさせるようにして凹条部に案内することができるパーマネント用ロッドの差し込み作業性に優れたパーマネント用ロッド立てを提供することができる。
【００２０】
請求項３に記載の考案によれば、請求項１の効果に加え、以下のような効果を有する。
（１）独立した各々の嵌合凹部にパーマネント用ロッドを差し込んで保持することにより、多数のパーマネント用ロッドを整然と整列させて整理することが可能で、太さや種類の異なる多数のパーマネント用ロッドの中から必要なパーマネント用ロッドを簡便かつ確実に選択して、抜き取ることができ、作業の効率性に優れると共に、パーマネント用ロッドの挿抜時に、隣接する嵌合凹部に保持されたパーマネント用ロッドが倒れることのないパーマネント用ロッドの保持安定性に優れたパーマネント用ロッド立てを提供することができる。
【００２１】
請求項４に記載の考案によれば、以下のような効果を有する。
（１）柔軟なパーマネント用ロッド立ての外周をケース本体で保護することができ、多数のパーマネント用ロッドが挿通されて整理された状態のパーマネント用ロッド立てをケース本体と共に容易に持ち運ぶことや保管することができる搬送性、取扱い性に優れたロッドケースを提供することができる。
【００２２】
請求項５に記載の考案によれば、請求項４の効果に加え、以下のような効果を有する。
（１）パーマネント用ロッドと共に、作業に必要な輪ゴムと、パーマネント用ペーパを常にセットで準備して作業に備えることができ、まとめて簡便に作業場所に持ち運んで直ちに作業を行うことが可能な使用性、作業効率性に優れたロッドケースを提供することができる。
【００２３】
請求項６に記載の考案によれば、請求項１乃至４の内いずれか１項の効果に加え、以下のような効果を有する。
（１）作業時にケース本体を傾斜させることにより、パーマネント用ロッドの先端面と略正対することができ、パーマネント用ロッドの視認性に優れ、パーマネント用ロッドの選択、挿抜が容易で、作業の効率性に優れたロッドケースを提供することができる。
【図面の簡単な説明】
【００２４】
【図１】実施の形態１におけるパーマネント用ロッド立てを示す模式斜視図
【図２】実施の形態１におけるパーマネント用ロッド立てを用いたロッドケースを示す模式斜視図
【図３】（ａ）実施の形態１におけるパーマネント用ロッド立てにパーマネント用ロッドを挿通した状態を示す部分模式斜視図（ｂ）実施の形態１におけるパーマネント用ロッド立てにパーマネント用ロッドを保持した状態を示す部分模式斜視図
【図４】実施の形態２におけるパーマネント用ロッド立てを示す模式斜視図
【図５】実施の形態３におけるパーマネント用ロッド立てを示す模式斜視図
【考案を実施するための形態】
【００２５】
（実施の形態１）
本考案の実施の形態１におけるパーマネント用ロッド立て及びそれを用いたロッドケースについて、以下図面を参照しながら説明する。
まず、実施の形態１におけるパーマネント用ロッド立てについて説明する。
図１は実施の形態１におけるパーマネント用ロッド立てを示す模式斜視図であり、図２（ａ）は実施の形態１におけるパーマネント用ロッド立てにパーマネント用ロッドを挿通した状態を示す部分模式斜視図であり、図２（ｂ）は実施の形態１におけるパーマネント用ロッド立てにパーマネント用ロッドを保持した状態を示す部分模式斜視図である。
【００２６】
図１及び図２中、１は全体がウレタンフォーム、ポリエチレンフォーム、発泡ゴム等の弾性体でブロック状に形成された実施の形態１におけるパーマネント用ロッド立て、２はパーマネント用ロッド２０（図２）の直径よりも幅狭に形設されパーマネント用ロッド２０が挿抜自在に挿通されるパーマネント用ロッド立て１の複数列の凹条部、２ａは凹条部２の長手方向の両端部に凹条部２よりも幅広の大径状に形設されたパーマネント用ロッド立て１の挿通用凹部、３は各々の凹条部２の両側でパーマネント用ロッド２０を挟持するパーマネント用ロッド立て１の弾性挟持部である。
【００２７】
以上のように構成された実施の形態１におけるパーマネント用ロッド立ての使用方法について説明する。
まず、図２（ａ）において、パーマネント用ロッド立て１の挿通用凹部２ａからパーマネント用ロッド２０を差し込む。
次に、図２（ｂ）に示すように、パーマネント用ロッド２０を凹条部２に沿って所望の位置までスライドさせ、両側の弾性挟持部３，３で保持する。
これらの動作を繰り返すことにより、複数のパーマネント用ロッド２０を端から順番に並べて整列させ、整理することができる。
パーマネント用ロッド２０は、弾性挟持部３，３間で挟持されているだけなので、使用する時には、選択した任意のパーマネント用ロッド２０の先端側を摘み、その場で上方に引き抜けばよい。
【００２８】
尚、凹条部２はパーマネント用ロッド２０を立てて保持できるだけの深さがあればよく、パーマネント用ロッド立て１を貫通してもしなくてもよい。
また、挿通用凹部２ａは、凹条部２よりも幅広若しくは大径に形設されていればよいが、特に、パーマネント用ロッド２０の外径よりもやや幅広若しくは大径に形設した場合、パーマネント用ロッド２０の挿通時に負荷がかからず、容易にパーマネント用ロッド２０を差し込むことができ、使用性に優れる。
本実施の形態では、挿通用凹部２ａの平面視の形状は円形に形成したが、これに限定されるものではなく、適宜、選択することができ、多角形状でもよい。特に、挿通用凹部２ａと凹条部２との接続部分が、凹条部２に向かって徐々に幅が狭くなるように形成した場合、パーマネント用ロッド２０を挿通用凹部２ａから凹条部２に向かって案内し易く、使用性に優れる。尚、挿通用凹部２ａは必ずしも形成する必要はなく、パーマネント用ロッド２０を凹条部２に直接、挿通してもよい。
弾性挟持部３の上面に凹条部２や挿通用凹部２ａの周縁を縁取るように着色した場合、凹条部２や挿通用凹部２ａの位置を容易に把握することができ、パーマネント用ロッド２０を確実に凹条部２や挿通用凹部２ａに差し込むことが可能で、使用性に優れる。
【００２９】
次に、実施の形態１におけるパーマネント用ロッド立てを用いたロッドケースについて説明する。
図３は実施の形態１におけるパーマネント用ロッド立てを用いたロッドケースを示す模式斜視図である。
図３中、１０は実施の形態１におけるパーマネント用ロッド立て１を用いたロッドケース、１１はパーマネント用ロッド立て１が収容されたロッドケース１０のケース本体、１１ｂはケース本体１１の裏面奥側に配設されケース本体１１の手前側が低く奥側が高くなるようにケース本体１１を傾斜させて支持するロッドケース１０の支持脚部、１２はケース本体１１に形設された輪ゴム保持部、１２ａは輪ゴムが係止される棒状の係止部１２ｂを螺子止めや接着によりケース本体１１に固定する固定部、１３は内部にパーマネント用ペーパが収容される箱状に形成されケース本体１０に着脱自在に配設されたパーマネント用ペーパ収容部、１３ａはパーマネント用ペーパ収容部１３からパーマネント用ペーパを抜き取るための開口部である。
【００３０】
ケース本体１１の側壁部の高さは、パーマネント用ロッド立て１の弾性挟持部３の高さと同等以上に形成し、パーマネント用ロッド立て１を保護すると共に、パーマネント用ロッド２０を挿通した際に、弾性挟持部３が外方に変形して（逃げて）、パーマネント用ロッド２０が凹条部２に保持できなくなることを確実に防止した。尚、ケース本体１１の側壁部の高さをパーマネント用ロッド立て１に保持されたパーマネント用ロッド２０の上端よりも高くなるように形成した場合、複数のロッドケース１０を積み重ねて保管することができ、省スペース性に優れる。
【００３１】
支持脚部１１ｂの形状、数、配置は本実施の形態に限定されるものではなく、ケース本体１１の手前側が低く、奥側が高くなるようにケース本体１１を傾斜させて支持できるものであればよい。例えば、ケース本体１１の奥側の両外側部に、それぞれ支持脚部１１ｂを配置することができる。尚、支持脚部１１ｂを高さ調整自在に形成したり、ケース本体１１に対して角度調整自在に形成したりした場合、ケース本体１１の傾斜角度を任意に選択することができ、使用性に優れる。また、支持脚部１１ｂはケース本体１１に対して折り畳み自在又は着脱自在に形成してもよい。これらの構成により、未使用時に支持脚部１１ｂの高さや角度を調整するなどしてケース本体１１を水平にすることができ、ロッドケース１１の背の高さを低くすることができると共に、複数のロッドケース１０を重ねて収納することもでき、省スペース性に優れる。
【００３２】
輪ゴム保持部１２は、輪ゴムを引っ掛けて保持できるものであればよい。本実施の形態のように、複数本の棒状の係止部１２ｂで輪ゴム保持部１２を構成した場合、輪ゴムの直径に応じて、引っ掛ける係止部１２ｂの本数を選択することにより、輪ゴムを確実に保持することができ、輪ゴムの保持安定性、汎用性に優れる。尚、輪ゴム保持部１２は、ケース本体１１に一体に形設する代わりに、ケース本体１１と別体の基板上に形設し、面ファスナーや雄雌の係合手段等で着脱自在に固定してもよい。
パーマネント用ペーパ収容部１３は、内部（中空部）にパーマネント用ペーパを収容できるものであればよく、袋状に形成してもよい。パーマネント用ペーパ収容部１３をケース本体１１に対して着脱自在とした場合、パーマネント用ペーパが無くなった時に、パーマネント用ペーパが収容された別のパーマネント用ペーパ収容部１３と交換するだけで直ちに作業を続けることができ、パーマネント用ペーパの詰め替え作業が不要で、作業の効率性、省力性に優れる。
【００３３】
また、本実施の形態では、ケース本体１１に輪ゴム保持部１２及びパーマネント用ペーパ収容部１３の設置スペースを設けたが、別体の基板上に輪ゴム保持部１２及びパーマネント用ペーパ収容部１３を配設し、基板に形設したフック状の係止部などでケース本体１１の側壁部に係止するようにしてもよい。これにより、ケース本体１１を小型化でき、必要に応じて、簡便に輪ゴム保持部１２及びパーマネント用ペーパ収容部１３を着脱することが可能で、収納時の省スペース性、取扱い性に優れる
【００３４】
実施の形態１のパーマネント用ロッド立ては以上のように構成されているので、以下の作用を有する。
（１）パーマネント用ロッドの直径よりも幅狭に形設された凹条部と、凹条部の両側でパーマネント用ロッドを挟持する弾性挟持部を有するので、凹条部に差し込んだパーマネント用ロッドを弾性挟持部で確実に挟持することができ、パーマネント用ロッドが倒れることがなく、パーマネント用ロッドを容易に整列させて整理することができ、所望のパーマネント用ロッドの先端を掴んで簡便に取り出すことができ、作業性、使用性に優れる。
（２）弾性挟持部によりパーマネント用ロッドを挟持するので、１つのパーマネント用ロッド立てで、太さの異なるパーマネント用ロッドを確実に保持することができ、パーマネント用ロッドの数や種類に関わりなく、多数のパーマネント用ロッドを効率的に整理することができ、汎用性に優れる。
（３）凹条部の長手方向の任意の位置に凹条部よりも幅広若しくは大径に形設された少なくとも１つの挿通用凹部を有することにより、パーマネント用ロッドを幅狭の凹条部に直接差し込むのではなく、凹条部よりも幅広若しくは大径に形設された挿通用凹部からパーマネント用ロッドを容易に差し込み、スライドさせるようにして凹条部に案内することができ、パーマネント用ロッドの差し込み作業性に優れる。
【００３５】
実施の形態１のパーマネント用ロッド立てを用いたロッドケースは以上のように構成されているので、以下の作用を有する。
（１）ケース本体とケース本体に収容されたパーマネント用ロッド立てを有するので、柔軟なパーマネント用ロッド立ての外周をケース本体で保護することができ、多数のパーマネント用ロッドが挿通されたパーマネント用ロッド立てをケース本体と共に容易に持ち運ぶことや保管することができ、搬送性、取扱い性に優れる。
（２）１乃至複数の突起状の係止部を有する輪ゴム保持部と、上面又は側面に開口部を有する袋状又は箱状のパーマネント用ペーパ収容部が、ケース本体に形設又は着脱自在に配設されるので、パーマネント用ロッドと共に、作業に必要な輪ゴムと、パーマネント用ペーパを常にセットで準備して作業に備えることができ、ロッドケースでまとめて簡便に作業場所に持ち運んで直ちに作業を行うことが可能で、使用性、作業効率性に優れる。
（３）ケース本体の裏面又は外側に配設され、ケース本体の手前側が低く、奥側が高くなるようにケース本体を傾斜させて支持する支持脚部を有することにより、作業時にパーマネント用ロッドの先端面と略正対することができ、パーマネント用ロッドの視認性に優れ、パーマネント用ロッドの選択、挿抜が容易で、作業の効率性に優れる。
【００３６】
（実施の形態２）
図４は実施の形態２におけるパーマネント用ロッド立てを示す模式斜視図である。尚、実施の形態１と同様のものには同一の符号を付して説明を省略する。
図４において、実施の形態２におけるパーマネント用ロッド立て１ａが、実施の形態１におけるパーマネント用ロッド立て１と異なるのは、凹条部２の両端部に形設された挿通用凹部２ａを有する代わりに、凹条部２の長手方向の途中にパーマネント用ロッド２０の直径よりも幅狭の小径状で凹条部２よりも幅広の大径状に形設されパーマネント用ロッド２０が挿抜自在に嵌合される複数の嵌合凹部２ｂを有する点である。
【００３７】
以上のように構成された実施の形態２におけるパーマネント用ロッド立て１ａでは、任意の嵌合凹部２ｂを選択し、直接、パーマネント用ロッド２０を挿抜することができる。
本実施の形態では、嵌合凹部２ｂの平面視の形状は円形に形成したが、これに限定されるものではなく、挿通されたパーマネント用ロッド２０を保持できる形状であればよい。特に、円形状の嵌合凹部２ｂは、パーマネント用ロッド２０を挿抜し易く、使用性に優れると共に、成型が容易で量産性に優れる。また、各々の嵌合凹部２ｂの大きさや形状は同一である必要はなく、例えば列単位で大きさを変えて、寸法の異なるパーマネント用ロッド２０を列単位で整理するようにしてもよい。
尚、実施の形態２におけるパーマネント用ロッド立て１ａは、実施の形態１で説明したケース本体１１と組み合わせて使用することができる。
【００３８】
実施の形態２のパーマネント用ロッド立ては以上のように構成されているので、実施の形態１で得られる（２）と同様の作用に加え、以下の作用を有する。
（１）凹条部の長手方向の任意の位置にパーマネント用ロッドの直径よりも幅狭若しくは小径で凹条部よりも幅広若しくは大径に形設されパーマネント用ロッドが挿抜自在に嵌合される嵌合凹部を有するので、独立した各々の嵌合凹部にパーマネント用ロッドを差し込んで保持することができ、多数のパーマネント用ロッドを整然と整列させて整理することが可能で、太さや種類の異なる多数のパーマネント用ロッドの中から必要なパーマネント用ロッドを簡便かつ確実に選択して、抜き取ることができ、作業の効率性に優れる
（２）パーマネント用ロッドが挿抜自在に嵌合される複数の嵌合凹部が独立して形成されることにより、１つの嵌合凹部にパーマネント用ロッドを挿抜しても、隣接する嵌合凹部に保持されたパーマネント用ロッドが倒れることがなく、パーマネント用ロッドの保持安定性に優れる。
【００３９】
（実施の形態３）
図５は実施の形態３におけるパーマネント用ロッド立てを示す模式斜視図である。尚、実施の形態１又は２と同様のものには同一の符号を付して説明を省略する。
図５において、実施の形態３におけるパーマネント用ロッド立て１ｂが実施の形態１におけるパーマネント用ロッド立て１と異なるのは、パーマネント用ロッド立て１のように全体を１つの弾性体でブロック状に形成する代わりに、短冊状の弾性挟持部３を凹条部２を形成するように所定間隔を空けて基板４上に立設して形成しており、挿通用凹部２ａが形設されていない点である。
弾性挟持部３は短冊状に分割されているが、基板４によって一体化されているので、パーマネント用ロッド２０を確実に保持することができ、容易に持ち運びを行うことができ、取扱い性に優れる。
【００４０】
以上のように構成された実施の形態３におけるパーマネント用ロッド立て１ｂでは、凹条部２の長手方向の任意の位置を選択して、直接、パーマネント用ロッド２０を挿抜することができる。
実施の形態３のパーマネント用ロッド立て１ｂには、実施の形態１と同様の挿通用凹部２ａや実施の形態２と同様の嵌合凹部を形設することもできる。
また、実施の形態３におけるパーマネント用ロッド立て１ｂは、実施の形態１で説明したケース本体１１と組み合わせて使用することができる。尚、ケース本体１１と組み合わせて使用する場合には、基板４を省略することもできる。
【００４１】
実施の形態３のパーマネント用ロッド立ては以上のように構成されているので、実施の形態１で得られる（１）及び（２）と同様の作用を有する。
【符号の説明】
【００４２】
１，１ａ，１ｂ  パーマネント用ロッド立て
２  凹条部
２ａ  挿通用凹部
２ｂ  嵌合凹部
３  弾性挟持部
４  基板
１０  ロッドケース
１１  ケース本体
１１ｂ  支持脚部
１２  輪ゴム保持部
１２ａ  固定部
１２ｂ  係止部
１３  パーマネント用ペーパ収容部
１３ａ  開口部
２０  パーマネント用ロッド
【図１】
0003155692.tif 000003
【図２】
0003155692.tif 000004
【図３】
0003155692.tif 000005
【図４】
0003155692.tif 000006
【図５】
0003155692.tif 000007